(57)【要約】【課題】外部からの多少の衝撃等や、袋の膨張等では決して開口部を開いてしまうことのない袋封止用クリップの提供。【解決手段】第１挟持杆と第２挟持杆の一端部同士を枢着して脱着自在に構成され、第１挟持杆は略円柱状の棒からなり、第２挟持杆は、第１挟持杆と嵌合可能な略Ｕ又はＣ字形断面を有することを特徴とする。【選択図】　図１
2004035026.tif 000002
【特許請求の範囲】
【請求項１】
第１挟持杆と第２挟持杆の一端部同士を枢着して脱着自在に構成され、前記第１挟持杆は略円柱状の棒からなり、前記第２挟持杆は、前記第１挟持杆と嵌合可能な略Ｕ又はＣ字形断面を有することを特徴とする袋封止用クリップ。
【請求項２】
前記第２挟持杆の略Ｕ又はＣ字形断面を構成し相対向する側壁の上部に、凹部又は凸部又は凹凸部が形成されていることを特徴とする請求項１記載の袋封止用クリップ。
【請求項３】
前記凹部又は凸部又は凹凸部は前記第１挟持杆及び前記第２挟持杆の枢着部近傍に設けられていることを特徴とする請求項２記載の袋封止用クリップ。
【請求項４】
前記第１挟持杆の直径よりも前記第２挟持杆の開口部の幅が小さいことを特徴とする請求項１記載の袋封止用クリップ。
【請求項５】
前記第２挟持杆が弾性を有する材料で製造されることを特徴とする請求項１記載の袋封止用クリップ。
【発明の詳細な説明】
【０００１】
【発明の属する技術分野】
本発明は、外部からの多少の衝撃等や、袋の膨張等では決して開口部を開いてしまうことのない袋封止用クリップに関する。
【０００２】
【従来の技術】
従来、ビニール袋等の袋は折り返すことで極僅かな封止力を有することが知られている。勿論、折り返しただけではいとも簡単にビニール袋の開口部は開いてしまう。ビニール袋等を封止するためにいろいろなことが考え出されてきた。ビニール袋等の袋を封止する方法としては、洗濯バサミ等で開口部を閉じるか又は紐で開口部を縛ることが挙げられる。
しかしながら、この方法では簡単に封止用洗濯バサミ等が取れたり外れたりして密封状態を保つことが困難であり、一度完璧な密封状態になるとなかなか開封し辛いという欠点もあった。
【０００３】
また、食品等を収納できるビニール袋等に於いては、開口部内周縁に雌雄状のプラスチックファスナーを設けて開閉を容易に行えるようにしたものがある。
しかしながら、このプラスチックファスナーの封止力はあまり大きくないため、少しの衝撃で封止が解除されて密閉が解けたり、食品等を入れて電子レンジ等で加熱した際に中身の膨張に伴う袋の膨張により密封状態が解け、中身が漏れ出したり、或いは飛び出したりすることがあった。
【０００４】
【発明が解決しようとする課題】
本発明は、このような実情に鑑みてなされたもので、限定はしないが冷凍食品をビニール袋等にいれて加熱する際に生じる内圧で袋が開封することがない、ビニール袋等の合成樹脂袋の開口部を容易且つ確実に封止することができ、袋に収容した物に衝撃が加わたり加熱等を施しても、開口部が開くことのない袋封止用クリップを提供する。
【０００５】
【課題を解決するための手段】
請求項１記載の発明は、第１挟持杆と第２挟持杆の一端部同士を枢着して脱着自在に構成され、前記第１挟持杆は略円柱状の棒からなり、前記第２挟持杆は、前記第１挟持杆と嵌合可能な略Ｕ又はＣ字形断面を有することを特徴とする袋封止用クリップである。
【０００６】
請求項２記載の発明は、前記第２挟持杆の略Ｕ又はＣ字形断面を構成し相対向する側壁の上部に、凹部又は凸部又は凹凸部が形成されていることを特徴とする請求項１記載の袋封止用クリップである。
【０００７】
請求項３記載の発明は、前記凹部又は凸部は前記第１挟持杆及び前記第２挟持杆の枢着部近傍に設けられていることを特徴とする請求項２記載の袋封止用クリップである。
【０００８】
請求項４記載の発明は、前記第１挟持杆の直径よりも前記第２挟持杆の開口部の幅が小さいことを特徴とする請求項１記載の袋封止用クリップである。
【０００９】
請求項５記載の発明は、前記第２挟持杆が弾性を有する材料で製造されることを特徴とする請求項１記載の袋封止用クリップである。
これらの発明を提供することにより上記課題を悉く解決する。
【００１０】
【発明の実施の形態】
本発明の実施形態について、図面を参照しつつ説明する。
図１は、本発明に於ける袋封止用クリップ（１）が開いている状態の側面図である。本発明に於ける袋封止用クリップ（１）は、第１挟持杆（２）と第２挟持杆（３）とから構成されており、第１挟持杆（２）と第２挟持杆（３）はその一端部（枢着部（４））で枢着されている。
【００１１】
図２は、本発明に於ける袋封止用クリップ（１）が閉じている状態を示す。図２（ａ）はその平面図であり、図２（ｂ）はその正面図であり、図２（ｃ）はその左側面図であり、図２（ｄ）はその右側面図ある。本発明に於ける袋封止用クリップ（１）は、閉じた状態に於いては第１挟持杆（２）が第２挟持杆（３）の内側に完全に嵌り込む。
【００１２】
第１挟持杆（２）の長さ及び太さは、特に限定されず、用途によって適宜寸法を設定することが出来るが、例えば長さ：太さの比が約３０：１〜約１０：１の範囲にあることが望ましい。長さ：太さの比が上記範囲を超すと、第１挟持杆（２）それ自体の強度が低くなり折れてしまう。また、長さ：太さの比が上記範囲以下になると、袋封止用クリップ自体を開閉する操作が行い辛くなる。
【００１３】
図３は、第１挟持杆（２）に関する図である。図３（ａ）は第１挟持杆（２）を示す正面図であり、図３（ｂ）は第１挟持杆（２）を示す側面図であり、図３（ｃ）は第１挟持杆（２）と第２挟持杆（３）に対向する側から見た図（底面図）であり、図３（ｄ）は第１挟持杆（２）をその枢着部側から見た左側面図であり、図３（ｅ）は第１挟持杆（２）をその自由端側から見た右側面図である。第１挟持杆（２）の一端部にある凸部（４０）が第２挟持杆（３）の一端部にある凹部（２２）と嵌合されることにより、第１挟持杆（２）と第２挟持杆（３）が枢着される。
【００１４】
第１挟持杆（２）の上面には溝（１０）が設けられている（図３（ａ）参照）。また、同様に底面にも溝（１０）が設けられている（図３（ｃ）参照）。この溝（１０）の大きさや数は限定されず、また、必ずしも設けなくてもよい。
尚、溝（１０）を設ければ、袋等を第１及び第２挟持杆に挟んだときに、外部から受ける内向きの圧力によって溝（１０）の幅が狭くなるので、袋等が厚くても変形して対応できるようになるので好ましい。この場合、袋等自体が多少の厚さを有していても問題なく、袋等を傷付けたり破いたりすることなく袋等を封止でき、封止時に袋封止用クリップが破損することもない。封止の際の圧力は、底面側に作用するので底面側に溝（１０）を設けることがより望ましい。
尚、底面側にのみ溝（１０）を長さ一杯に設けても、袋等と袋封止用クリップの接触する面積が減少し、逆に密封力が低下してしまう。そのため図示の如く、上面側と底面側に交互に設けることが望ましい。上記のように溝を配置すれば、密封力が落ちることなく効果的に第１挟持杆（２）を使用できるようになり、また、強度の低下による破損も防止できる。
【００１５】
また、上記のように溝（１０）を設けることによって、厚手の袋等を使用する場合でも、第１挟持杆（２）の溝（１０）が狭まり袋等の入るスペースを生み出し厚めの袋なら十分に封止可能となり、逆に、薄手の袋等の場合には、溝（１０）が狭まらない状態で袋等を押圧できるため、何の問題もなく密封することができる。
【００１６】
図４は、第２挟持杆（３）に関する図である。図４（ａ）は第２挟持杆（３）を示す平面図であり、図４（ｂ）は第２挟持杆（３）を示す正面図であり、図４（ｃ）は第２挟持杆（３）の底面図であり、図４（ｄ）は第２挟持杆（３）をその枢着部側から見た左側面図であり、図４（ｅ）は第２挟持杆（３）をその自由端側から見た右側面図である。
第２挟持杆（３）の一端部にある凹部（２２）に第１挟持杆（２）の一端にある凸部（４０）を嵌入することにより、第１挟持杆（２）と第２挟持杆（３）が枢着されている（枢着部（４））。またこの枢着部（４）とは反対側の端部（他端部）に対応し、第２挟持杆（３）にある一対の凸部（２０）は、本発明の袋封止用クリップ（１）を開封する際の把手であり、これが設けられることによって開封を容易にすることができる。
【００１７】
図５（ａ）は、図３（ｂ）に於ける線Ａ−Ａ線断面図であり、図５（ｂ）は図４（ｂ）に於ける線Ｂ−Ｂ線断面図（斜線部分）である。第１挟持杆（２）は、図５（ａ）で示されるように、円形断面を有する略円柱状棒である。第２挟持杆（３）は、図５（ｂ）で示されるように略Ｕ又はＣ字形断面を有する棒である。第２挟持杆（３）の略Ｕ又はＣ字形内面が、前述した第１挟持杆（２）の外周面と密着することで第１挟持杆（２）及び第２挟持杆（３）は隙間無く密接することが可能となる。これにより、袋等が確実に密封される。
【００１８】
図６は、図２に於ける線Ｃ−Ｃ線断面図である。前述したように、第１挟持杆（２）の外周面と第２挟持杆（３）の略Ｕ又はＣ字形内面が密接する。より好ましくは、第２挟持杆（３）の略Ｕ又はＣ字形内面の湾曲部の半径は、第１挟持杆（２）の半径よりも少しだけ小さいことが望まれる。そうすれば、袋内の気密性がより一層高まり嵌合が外れにくくなる。また、第１挟持杆（２）の直径よりも第２挟持杆（３）の開口部の幅が小さいと更に望ましい。更に好ましくは、第２挟持杆（３）が弾性を有する材料で製造されれば、第１挟持杆（２）それ自体及び袋等を挟んだときの弾性力を更に大きく受けることとなり、より大きな密閉力を得ることとなる。
【００１９】
図７は、図２に於ける第１挟持杆（２）と第２挟持杆（３）との間に袋等（１３）を挟みこんだ状態を示す断面図である。本発明の袋封止用クリップ（１）の第１（２）及び第２挟持杆（３）の接合面の軸方向直角断面が弧状である。それは、断面が多角形であれば袋を挿入し封止した際に、袋が角に引掛かり破れる可能性があるからである。また、弧状であれば、第１挟持杆（２）と第２挟持杆（３）が容易に手動で着脱可能となるからである。
【００２０】
この袋封止用クリップ（１）の使用目的は特に限定されるものではないが、冷凍食品を電子レンジで解凍する際に生じる内圧から袋開封を防止するための袋封止用として、密封性を必要とする冷凍食品の保存容器の開口部封止用として、湿気や酸化を嫌う薬品や食品等の保存容器の開口部封止用として使用できる。
【００２１】
図８は、本発明に於ける別の実施形態を示す。図１と同様に、本発明に於ける袋封止用クリップ（１００）は、第１挟持杆（２）と第２挟持杆（３００）とから構成されており、第１挟持杆（２）と第２挟持杆（３００）はその一端部（枢着部（４００））同士で枢着されている。基本的に、第２挟持杆（３００）は第２挟持杆（３）と同様の構成であるが、唯一、第２挟持杆（３００）の略Ｕ又はＣ字形断面を構成し相対向する側壁の上部で、枢着部（４００）近傍の袋等を挟む部分に凸部（１０１）が設けられている点が異なっている。この凸部（１０１）の形状は、特に限定されず、平面視が円形、楕円形、三角などの多角形でもよいし、側面視も円形、楕円形、三角などの多角形でもよいが、袋等を傷付けたり破れたりする原因とならない形状が望ましい。また、凸部（１０１）の形状は、凸形でも凹形でもよいし、凹凸形が混ざった形状でもよいが、前述したように、袋等を傷付けたり破れたりする原因とならない形状が望ましい。ビニールなどの袋等を本発明に於ける袋封止用クリップで挟み込む際に、この凸部（１０１）があるために、袋が抜け落ちることがない。
【００２２】
図９は、本発明に於ける袋封止用クリップ（１００）の第２挟持杆（３００）を示す。図９（ａ）は第２挟持杆（３００）の平面図を示し、図９（ｂ）は第２挟持杆（３００）の正面図を示し、図９（ｃ）は第２挟持杆（３００）の底面図を示し、図９（ｄ）は第２挟持杆（３００）を枢着部側から見た左側面図を示し、図９（ｅ）は第２挟持杆（３００）を自由端側から見た右側面図である。
第２挟持杆（３）と同様に、第２挟持杆（３００）の一端部にあり開口部が互いに向かい合う２つの凹部（２４）は第１挟持杆（２）の一端部にあり互いに反対向きに突出する凸部（４０）と嵌合されることにより、第１挟持杆（２）と第２挟持杆（３００）は枢着されている（枢着部（４００））。第２挟持杆（３００）に於いて前記枢着部（４００）とは反対側の端部（他端部）にある一対の凸部（８０）は、本発明の袋封止用クリップ（１００）を開封する際の把手であり、これが設けられていることによって開封が容易になる。袋封止用クリップ（１００）も袋封止用クリップ（１）と同様、閉じた状態に於いては第１挟持杆（２）が第２挟持杆（３００）の内側に完全に嵌り込む。
【００２３】
凸部（１０１）は第２挟持杆（３００）の開口部側面の端から端まで設けられてもよい。また、第２挟持杆（３００）の中央部、若しくは枢着部（４００）とは反対側の先端部に設けてもよい。図示の如く枢着部（４００）の近傍に備え付ける場合が一番しっかりとした効果が得られる。
【００２４】
図１０は、凸部（１０１）を有する袋封止用クリップ（１００）の閉じた状態を示す側面図である。略Ｕ又はＣ字形の断面を有する第２挟持杆（３００）の開口部の相対向する側壁の上部に凸部（１０１）がある。第２挟持杆（３００）の側面から見た第２挟持杆（３００）の底面から凸部（１０１）先端までの高さは、第２挟持杆（３）の側面から見た第２挟持杆（３）の底面から第２挟持杆（３）の上面までの高さよりも高くする必要はない。第２挟持杆（３）の側面から見た第２挟持杆（３）の底面から第２挟持杆（３）の上面までの高さよりも、第２挟持杆（３００）の側面から見た第２挟持杆（３００）の底面から凸部（１０１）の先端までの高さが高くなれば、袋等の折り返しがよりまっすぐになる。しかし、このことは袋等を封止する力とは無関係である。それ故に、図示の如く凸部を含む第２挟持杆（３００）の側面から見た高さは第２挟持杆（３）の側面の高さと同じ位の位置取りになるように設けることがより効果的である。（図９（ｂ）参照）
【００２５】
図１１は、図７と同様に、第１挟持杆（２）と第２挟持杆（３００）とが袋等（１３）を挟んだ状態の断面図である。また、第２挟持杆（３００）が凸部（１０１）を有することによって、第１挟持杆（２）と第２挟持杆（３００）が当接しなくなってから袋等がすぐ広がることを抑え、きちんと折り返しをされることになる。
【００２６】
図１２は、本発明に於ける別の実施形態を示す。図１と同様に、本発明に於ける袋封止用クリップ（５００）は、第１挟持杆（２）と第２挟持杆（５１０）とから構成されており、第１挟持杆（２）と第２挟持杆（５１０）はその一端部（枢着部（５５５））同士で枢着されている。基本的に、第２挟持杆（５１０）は第２挟持杆（３）と同様の構成であるが、唯一、第２挟持杆（５１０）の略Ｕ又はＣ字形断面を構成し相対向する側壁の上部で、枢着部（５５５）近傍の袋等を挟む部分に凹部（５０５）が設けられている点が異なっている。前述したようにこの凹部（５０５）の形状は限定されない。図示の如く凹型の形状であれば、袋封止用クリップ（５００）でビニールなどの袋等を挟もうとした場合に、ビニールなどの袋等が凹部（５０５）に引っ掛かり滑り落ちることを防止する。そのため、簡単にビニールなどの袋等を袋封止用クリップ（５０５）で挟みこむことを可能にする。
【００２７】
図１、図８及び図１２で示す本発明の袋封止用クリップ（１、１００及び５００）は、第１挟持杆は共通であるが、第２挟持杆（３）と第２挟持杆（３００）と第２挟持杆（５１０）が枢着部近傍に凸部（１０１）若しくは凹部（５０５）を設けているかどうかの点で相違している。
【００２８】
第１挟持杆（２）と第２挟持杆（３）、第２挟持杆（３００）若しくは第２挟持杆（５０５）は、第１挟持杆（２）の一端部にあり互いに反対向きに突出する凸部（４０）と第２挟持杆（３）、第２挟持杆（３００）若しくは第２挟持杆（５０５）の一端部にあり開口部が互いに向かい合う２つの凹部（２４）が嵌合されることにより枢着されているだけなので、容易に取外し可能である。それ故に、製造者は、それぞれの部品毎に製造でき、便利である。また、購入者も、もし、片方の挟持杆を何らかの理由で失うことがあっても、その失った方だけを補充すればよいし、第２挟持杆（３）から第２挟持杆（３００）に、若しくは、第２挟持杆（３００）から第２挟持杆（３）へと容易に取り替え可能である。同様に、第２挟持杆（５０５）でも第２挟持杆（３）若しくは第２挟持杆（３００）への取り替えもできるし、その逆の取り替えも可能である。
【００２９】
図１３は、本発明の袋封止用クリップ（１）の実施形態を示した図である。本発明の袋封止用クリップ（１）を使用すると、容易に袋（１３）を密封することができる。
図１４は、凸部（１０１）を有する袋封止用クリップ（１００）の実施形態を示した図である。図１３及び図１４共に袋（１３）が折り返されることによって密封性を向上させることが可能となる。ただ単に、袋（１３）を袋封止用クリップで封するのではなく、本発明のような折り返しを可能とすることで更に強い封止力が得られる。
【００３０】
本発明の袋封止用クリップ（１）を使用する際には、まず、第１挟持杆（２）と第２挟持杆（３）を一端部（４）同士でしっかりと枢着させる。枢着出来るように初めから製造されているので問題はない。次に、袋封止用クリップの第１挟持杆（２）と第２挟持杆（３）の間に袋等を挟み、第１挟持杆（２）と第２挟持杆（３）を「カチッ」と音がするまで強く押し込み封着させる。そうすれば、袋等は本発明によって容易に密封状態となる。また、開封する際も、第１挟持杆（２）及び第２挟持杆（３）の枢着部部分（４）とは反対側の先端部にある凸部（２０）を持って上下に開けてやれば片手でも容易に開封することができる。
袋封止用クリップ（１００及び５００）に関しても使用方法は袋封止用リップ（１）と同様である。
【００３１】
本発明の袋封止用クリップを使えば、電子レンジ等に耐えられるような素材及び冷蔵庫等の冷たさに耐えられる素材で形成すれば、袋に食品を冷凍保存してから、電子レンジで解凍し暖めてやるまで本発明の袋封止用クリップをはずす必要がなく使用できる。また、氷等を入れて物を冷やす氷枕等としても使える。
【００３２】
また、袋等が本発明の袋封止用クリップ（１、１００又は５００）を用いることによって、折り返されることになり気密性が上がるほか、袋等の開口部が下を向くことにより、袋封止用クリップ（１、１００又は５００）を袋等から外す際に、開口部に残っている残留物が誤って袋等の内部に入ってくることを防止することが可能となる。例えば、庭先等の屋外に雨に濡れないほうがよい物を本発明の袋封止用クリップ（１、１００又は５００）を使用して封をする。何日か日が経過して封を解く際に、前日までに雨が降ったとしても開口部が下を向いているおかげで開口部に雨水が溜まることがない。それ故に、クリップの封を解く際にも中に開口部に残った雨水が入ることもない。また、冷蔵庫等に食品を入れて保存しておく場合も、開口部が下を向くように並べて冷蔵庫等に保存してやれば、冷蔵庫等の内部での他の食品による液ダレ及び液漏れ等が袋等の開口部に溜まらず、開封時に中の内容物に付着することはない。
【００３３】
本発明の袋封止用クリップは大きさに全く制限を受けないので、ゴミ袋のような大きさの袋を封止するにも使えるし、布団を入れておくような大きな袋にも適用できる。また、密封状態が解けにくいので、防虫剤と一緒に衣類等を入れて長期間保存することも可能である。
【００３４】
【発明の効果】
請求項１記載の発明は、ビニール袋等の合成樹脂袋の開口部を容易に且つ確実に封止することができる。また、請求項２記載の発明は、ビニール袋等をしっかり折り返すことによってより強力な封止力を持たせることができ、また、ビニールなどの袋等を挟む際に滑り落ちないようにする。また、請求項３記載の発明によれば、請求項２記載の発明である凸部を効果的に設けることが出来る。請求項４の発明によってより強力な封止力を得る。更に請求項５の発明によって強力な封止力が得られる。
以上のことから、袋等が決して開くことのない袋封止用クリップを提供する。
【図面の簡単な説明】
【図１】本発明に於ける袋封止用クリップの開いている状態の側面図を示す。
【図２】本発明に於ける袋封止用クリップの平面図（ａ）、正面図（ｂ）、左側面図（ｃ）、右側面図（ｄ）を示す。
【図３】本発明に於ける袋封止用クリップの第１挟持杆の平面図（ａ）、正面図（ｂ）、底面図（ｃ）、左側面図（ｄ）、右側面図（ｅ）を示す。
【図４】本発明に於ける袋封止用クリップの第２挟持杆の平面図（ａ）、正面図（ｂ）、底面図（ｃ）、左側面図（ｄ）、右側面図（ｅ）を示す。
【図５】図５（ａ）は図３（ｂ）に於ける第１挟持杆の線Ａ−Ａ線断面図を示し、図５（ｂ）は、図４（ｂ）に於ける第２挟持杆の線Ｂ−Ｂ線断面図を示す
【図６】本発明に於ける袋封止用クリップが閉じた状態での第１挟持杆及び第２挟持杆の断面図を示す。
【図７】本発明に於ける袋封止用クリップが袋等を挟んだ際の第１挟持杆及び第２挟持杆が嵌合した断面図を示す。
【図８】本発明に於ける袋封止用クリップの開いた状態の側面図を示す。
【図９】本発明に於ける袋封止用クリップの第２挟持杆の平面図（ａ）、正面図（ｂ）、左側面図（ｃ）、右側面図（ｄ）を示す。
【図１０】本発明に於ける袋封止用クリップが閉じた状態の側面図を示す。
【図１１】本発明に於ける袋封止用クリップが袋等を挟んだ際の第１挟持杆及び第２挟持杆が嵌合した断面図を示す。
【図１２】本発明に於ける袋封止用クリップの開いた状態の側面図を示す。
【図１３】本発明に於ける袋封止用クリップの実施形態を示す。
【図１４】本発明に於ける袋封止用クリップの実施形態を示す。
【符号の説明】
１・・・・袋封止用クリップ
２・・・・第１挟持杆
３・・・・第２挟持杆
４・・・・枢着部
１０・・・溝
１３・・・袋
２２・・・凹部
２４・・・凹部
４０・・・凸部
１００・・袋封止用クリップ
１０１・・凸部又は凹部又は凹凸部
３００・・第２挟持杆
４００・・枢着部
５００・・袋封止用クリップ
５１０・・第２挟持杆
５５５・・枢着部
５０５・・凸部又は凹部又は凹凸部
【図１】
2004035026.tif 000003
【図２】
2004035026.tif 000004
【図３】
2004035026.tif 000005
【図４】
2004035026.tif 000006
【図５】
2004035026.tif 000007
【図６】
2004035026.tif 000008
【図７】
2004035026.tif 000009
【図８】
2004035026.tif 000010
【図９】
2004035026.tif 000011
【図１０】
2004035026.tif 000012
【図１１】
2004035026.tif 000013
【図１２】
2004035026.tif 000014
【図１３】
2004035026.tif 000015
【図１４】
2004035026.tif 000016